(57)【要約】【課題】耐衝撃加重性能を向上し、安全性と耐久性の高い便座を提供すること。【解決手段】上部便座ケース３１０の内面の複数個所に螺子が螺合可能な螺子受部３１６を備え、下部便座ケース３２０の内面の螺子受部に対応する個所に螺子３４０が挿通可能な螺子孔部３２６を備え、螺子孔部３２６に螺子３４０を挿通して螺子受部３１６に螺合させて上部便座ケース３１０と下部便座ケース３２０を結合される構成において、螺子受部３１６および螺子孔部３２６のどちらか一方の先端部に弱破損部３１８を備えたことにより、便座の着座面に衝撃的な過大加重が付加されて場合、弱破損部が破損することにより、螺子受部および螺子孔部に荷重が集中的に付加されることが回避されるため、螺子受部および螺子孔部の設置部分に変形および白化等の変色が発生することを抑制することができ、安全性と耐久性を向上することができる。【選択図】図９
2015156995.tif 000002
【特許請求の範囲】
【請求項１】
上面に着座面を有する略環状の上部便座ケースと、略環状の下部便座ケースとが、相互の内周縁および外周縁で接合され、内部に環状の空洞部が形成される便座において、
前記上部便座ケースの内面の複数個所に、螺子が螺合可能な螺子受部を備え、
前記下部便座ケースの内面の前記螺子受部に対応する個所に、螺子が挿通可能な螺子孔部を備え、
前記螺子孔部に螺子を挿通して、前記螺子受部に螺合させることにより、前記上部便座ケースと前記下部便座ケースが結合される構成において、
前記螺子受部および前記螺子孔部のどちらか一方の先端部に他の部分より弱い荷重で破損する弱破損部を備えた構成の、
便座。
【請求項２】
前記弱破損部は、前記螺子受部または前記螺子孔部の先端部に形成された板状の突起片で形成された、
請求項１に記載の便座。
【請求項３】
前記弱破損部は、前記螺子受部の受孔または前記螺子孔部の螺子孔の周囲に、前記突起片を放射状に等間隔の角度で複数個配置された、
請求項２に記載の便座。
【請求項４】
前記着座面を加熱する便座ヒータが内蔵された構成の、
請求項１〜３のいずれか１項に記載の便座。
【請求項５】
便器上に設置可能な本体と、
前記本体に請求項１〜４のいずれか１項に記載の便座を回動自在に枢支された構成の、
便座装置。
【発明の詳細な説明】
【技術分野】
【０００１】
本発明は、破損防止構造を備えた便座およびそれを備えた便座装置に関するものである。
【背景技術】
【０００２】
従来、この種の便座は、樹脂材料で成型した上部便座ケースと、下部便座ケースと、上部便座ケースの内面に貼着された便座ヒータと、発泡樹脂材料で成型された断熱材とを主構成部材としている。上部便座ケースの外周縁と内周縁の複数個所にはフック部が一体に成型されており、内面の複数個所には螺子受部が一体に成型されている。また、下部便座ケースの外周縁と内周縁の複数個所にはフック受部が一体に成型されており、内面の複数個所には螺子孔部が一体に成型されている。外周縁と外周縁に設けられたフック部をフック受部に係合させることにより、上部便座ケースと下部便座ケースが分離できない構成となっている。また、螺子孔部を介して螺子を螺子受部に螺合させることにより、上部便座ケースと下部便座ケースの外周縁と内周縁が相互に密着する構成となっている（例えば、特許文献１参照）。
【０００３】
図１０と図１１は特許文献１に記載された従来の便座の断面を示すものであり、図に示すように、便座１は外郭を上部便座ケース２下部便座ケース３とで構成されており、上部便座ケース２の内面には便座ヒータ４が貼着され、便座ヒータ４の下方には断熱材５が収容されている。
【０００４】
図１０に示すように、上部便座ケース２の内周縁に成型された鉤形状のフック６が、下部便座ケース３の内周縁に成型されたフック受７に係合することにより上部便座ケース２の内周縁と下部便座ケース３の内周縁とが結合されている。
【０００５】
図１１に示すように、上部便座ケース２の内面には螺子受部８が突出して成型されており、下部便座ケース３の内面には螺子孔部９が凹陥して成型されており、螺子孔部９を挿通した螺子１０が螺子受部８に螺合されることにより、螺子受部８と螺子孔部９が当接した状態で固定されることにより、上部便座ケース２と下部便座ケース３とは相互の外周縁と内周縁とが密着した状態で結合されている。
【先行技術文献】
【特許文献】
【０００６】
【特許文献１】特開２０１３−９４６２４号公報
【発明の概要】
【発明が解決しようとする課題】
【０００７】
しかしながら、前記従来の構成では、螺子受部と螺子孔部が当接した状態で固定されているため、使用者が衝撃的に便座に着座した場合等の過大な加重が付加された場合、特に螺子受部と螺子孔部に集中的に加重が負荷されるため、螺子受部または螺子孔部が破損する場合や、上部便座ケースと下部便座ケースの螺子受部および螺子孔部の設置部分に変形および白化等の変色が発生することが懸念され、安全性および耐久性という観点から改良の余地があった。
【０００８】
本発明は、前記従来の課題に鑑みてなされたものであり、耐衝撃加重性能を向上し、安全性と耐久性の高い便座を提供することを目的とする。
【課題を解決するための手段】
【０００９】
前記従来の課題を解決するために、本発明の便座装置は、上面に着座面を有する略環状の上部便座ケースと、略環状の下部便座ケースとが、相互の内周縁および外周縁で接合され、内部に環状の空洞部が形成される便座において、上部便座ケースの内面の複数個所に、螺子が螺合可能な螺子受部を備え、下部便座ケースの内面の螺子受部に対応する個所に、螺子が挿通可能な螺子孔部を備え、螺子孔部に螺子を挿通して、螺子受部に螺合させることにより、上部便座ケースと下部便座ケースが結合される構成において、螺子受部および螺子孔部のどちらか一方の先端部に他の部分より弱い荷重で破損する弱破損部を備えた構成のである。
【００１０】
これにより、便座の着座面に衝撃的な過大加重が付加されて場合、弱破損部が破損することにより、加重は上部便座ケースと下部便座ケースの外周縁と内周縁の広い範囲に分散され、螺子受部および螺子孔部に荷重が集中的に付加されることが回避されるため、螺子受部および螺子孔部の設置部分に変形および白化等の変色が発生することを抑制することができ、安全性と耐久性を向上することができる。
【発明の効果】
【００１１】
変形および変色を抑制し、安全性および耐久性の高い便座を提供することができる。
【図面の簡単な説明】
【００１２】
【図１】本発明の実施の形態１における便座装置の外観を示す斜視図
【図２】本発明の実施の形態１における便座の完成状態の外観を示す斜視図
【図３】本発明の実施の形態１における便座の部品状態を示す斜視図
【図４】本発明の実施の形態１における便座上ケースの下方視の斜視図
【図５】図４に示すＣ部の詳細を示す斜視図
【図６】本発明の実施の形態１における便座下ケースの上方視の斜視図
【図７】図６に示すＤ部の詳細を示す斜視図
【図８】図２に示す便座の完成状態のＡＡ断面図
【図９】図２に示す便座の完成状態のＢＢ断面図
【図１０】従来の便座のフック部とフック受部を示す断面図
【図１１】従来の便座の螺子孔部と螺子受部を示す断面図
【発明を実施するための形態】
【００１３】
第１の発明は、上面に着座面を有する略環状の上部便座ケースと、略環状の下部便座ケースとが、相互の内周縁および外周縁で接合され、内部に環状の空洞部が形成される便座において、前記上部便座ケースの内面の複数個所に、螺子が螺合可能な螺子受部を備え、前記下部便座ケースの内面の前記螺子受部に対応する個所に、螺子が挿通可能な螺子孔部を備え、前記螺子孔部に螺子を挿通して、前記螺子受部に螺合させることにより、前記上部便座ケースと前記下部便座ケースが結合される構成において、前記螺子受部および前記螺子孔部のどちらか一方の先端部に他の部分より弱い荷重で破損する弱破損部を備えた構成の便座である。
【００１４】
これにより、便座の着座面に衝撃的な過大加重が付加されて場合、弱破損部が破損することにより、加重は上部便座ケースと下部便座ケースの外周縁と内周縁の広い範囲に分散され、螺子受部および螺子孔部に荷重が集中的に付加されることが回避されるため、螺子受部および螺子孔部の設置部分に変形および白化等の変色が発生することを抑制することができ、安全性と耐久性を向上することができる。
【００１５】
第２の発明は、特に、第１の発明において、前記弱破損部は、前記螺子受部または前記螺子孔部の先端部に形成された板状の突起片で形成されたものである。
【００１６】
これにより、弱破損部は容易に破損できる構成とすることができるとともに、突起片の板厚を変更することにより容易に強度の調整が可能となり、生産性を向上することができる。
【００１７】
第３の発明は、特に第２の発明において、前記弱破損部は、前記螺子受部の受孔または前記螺子孔部の螺子孔の周囲に、前記突起片を放射状に等間隔の角度で複数個配置されたものである。
【００１８】
これにより、螺子受部と螺子孔部の当接状態を安定させることができるとともに、螺子の締め付け作業を容易に実施できることなり、組立制度と生産性を向上することができる。
【００１９】
第４の発明は、特に第１〜第３のいずれか１つの発明において、前記着座面を加熱する便座ヒータが内蔵された構成の便座である。
【００２０】
これにより、着座面の加熱機能を含めて便座全体の安全性と耐久性を向上することができる。
【００２１】
第５の発明は、便器上に設置可能な本体と、前記本体に第１〜第４のいずれか１つの発明の便座を回動自在に枢支された構成の便座装置である。
【００２２】
これにより、便座の着座面に衝撃的な過大加重が付加されて場合においても、便座の変形および白化等の変色および加熱機能の損傷が発生することがなく、安全性と耐久性の高い便座装置を提供することができる。
【００２３】
以下、本発明の実施の形態について、図面を参照しながら説明する。なお、この実施の形態によって本発明が限定されるものではない。
【００２４】
（実施の形態１）
図１は本実施の形態における便座装置を便器上に設置した状態の外観の斜視図を示し、
＜１＞便座装置の構成
図１に示すように、便座装置１００は、本体２００、便座３００、便蓋４００により構成され、便器１１０の上面に設置される。
【００２５】
なお、本実施の形態においては便座装置１００の本体２００の設置側を後方、便座３００の設置側を前方とし、前方に向かって右側を右側、後方に向かって左側を左側として各構成要素の配置を説明する。
【００２６】
本体２００には、便座３００および便蓋４００が回動機構を介して開閉可能に取り付けられている。図１に示すように便蓋４００を開放した状態においては、便蓋４００は便座装置１００の最後部に位置するように起立し、便蓋４００を閉蓋した状態では便座３００の上面と本体２００の一部を隠蔽する。便座３００は図１に示すように便器１１０の上面に載置された状態から、便蓋４００と同様に本体の前面部に起立する。
【００２７】
また、本体２００には、図示しない洗浄水供給機構（図示せず）、熱交換器（図示せず）、洗浄ノズル２０１等からなる洗浄機構と、乾燥ユニット（図示せず）と、制御部（図示せず）等が内蔵されている。
【００２８】
また、便座３００の回動軸を支持する本体２００内の軸受け部分には便座３００に着座
した人体を検知する着座センサ（図示せず）が設置されている。この着座センサは重量式の着座センサであり、便座３００に使用者が着座することによる重量変化でスイッチを開閉させることにより、便座３００に使用者が着座していることを検知するものである。
【００２９】
また、洗浄水供給機構と熱交換器は洗浄ノズル２０１に接続されており、水道配管から供給される洗浄水を熱交換器で加熱することにより温水を洗浄ノズルに供給し、洗浄ノズル２０１から使用者の局部に向けて洗浄水を噴出し、使用者の局部を洗浄するものである。洗浄ノズル２０１はお尻を洗浄するお尻洗浄ノズル部と女性の局部を洗浄するビデノズル部を備えている。
【００３０】
また、乾燥ユニットは洗浄水により濡れた局部に向けて温風を噴出し、局部を乾燥することができる。
【００３１】
なお、洗浄機構と乾燥ユニットは便座装置の必須構成要素ではなく、これらの構成要素を具備しない便座装置でもよい。
【００３２】
また、本体２００の右側部には前方に突出するように袖部２１０が設けてあり、袖部２１０の上面には操作部２１１が設けてあり便座装置の各機能を操作する複数の操作スイッチ２１２と表示灯２１３が設置されている。
【００３３】
＜２＞便座の構成
図２は便座の完成状態の外観示す斜視図であり、図３は便座を構成する主要部品を示す斜視図であり、図４は上部便座ケースの下方視の斜視図であり、図５は図４のＣ部に示す螺子受部の詳細を示す斜視図であり、図６は下部便座ケースの上方視の斜視図であり、図７は図６のＤ部に示す螺子孔部の詳細を示す斜視図であり、図６は図２に示す便座の完成状態のＡＡ断面図であり、図７は図２に示す便座の完成状態のＢＢ断面図である。
【００３４】
図２に示すように、便座３００は略楕円形の環状を成した便座本体３０１と、便座本体３０１の後端部より突出する支持部３０２を備え、枢支軸３０３を介して本体２００に回動自在に枢支されている。
【００３５】
図３に示すように、便座３００は上面側から、樹脂材料で成形された上部便座ケース３１０と、アルミニウム箔製の均熱板３３１にコードヒータ３３２を配設した便座ヒータ３３０と、樹脂材料で成形された下部便座ケース３２０とを主構成部材として構成されている。完成状態では上部便座ケース３１０と下部便座ケース３２０は相互の内周縁と外周縁が接合され内部が中空の環状をなしている。
【００３６】
図４に示すように、上部便座ケース３１０は熱可塑性の樹脂材料で略楕円形の環状に成型された着座部３１１と、着座部３１１の後端部より突出する上部支持部３１２を備えている。
【００３７】
図６および図７に示すように、上部便座ケース３１０の着座部３１１の断面は略山型状であり、着座部３１１の上面は着座に適した緩い曲面に形成されており、内周と外周は下方に向かって屈曲しており、その先端部には外面側が突出した二段形状の上部内周縁３１３と上部外周縁３１４が形成されている。
【００３８】
図４に示すように、上部内周縁３１３と上部外周縁３１４の内方の複数個所には間隔を開けて略鉤型のフック３１５が一体に形成されている。また、上部便座ケース３１０の下面中央部の複数箇所には螺子受部３１６が形成されている。
【００３９】
図５に示すように、螺子受部３１６は略円筒状の螺子受本体部３１７と、螺子受本体部３１７の先端には２個の板状の突起片である弱破損部３１８が一体に成型されている。また、螺子受本体部３１７の中央には螺子受穴３１９が形成されている。弱破損部３１８は螺子受穴３１９の中心に対して放射状に等角となるように配置されている。
【００４０】
図６に示すように、下部便座ケース３２０は熱可塑性の樹脂材料を使用した成型品であり、平面形状が上部便座ケース３１０と略同形状の下部本体部３２１と、下部本体部３２１の両側後方に斜め上方に突出した下部支持部３２２が形成されている。
【００４１】
下部本体部３２１の内周と外周は上方に向かって屈曲しており、その先端部には内面側が突出した二段形状の下部内周縁３２３と下部外周縁３２４が形成されている。下部内周縁３２３と下部外周縁３２４の外形は上部便座ケース３１０の上部内周縁３１３と上部外周縁３１４と略同形状であり、上部便座ケース３１０と下部便座ケース３２０とを当接して結合されると連続的な外観形状が形成でき、内部には空洞部３０４が形成される構成となっている。
【００４２】
下部内周縁３２３と下部外周縁３２４の内方には、上部便座ケース３１０に配置されたフック３１５に対応する複数個所には間隔を開けて略門型のフック受３２５が一体に形成されている。上部便座ケース３１０に形成されたフック３１５と下部便座ケースに形成されたフック受３２５とは樹脂材料の弾性を利用して相互に係合させることが可能な構成となっている。
【００４３】
図８に示すように、上部便座ケース３１０の上部内周縁３１３と上部外周縁３１４を、下部便座ケース３２０の下部内周縁３２３と下部外周縁３２４と当接させ、全てのフック３１５とフック受３２５を係合させることにより、上部便座ケース３１０と下部便座ケース３２０とは結合され、容易に引き離せない構成となっている。
【００４４】
図６に示すように、下部本体部３２１の中央部には、上部便座ケース３１０の螺子受部３１６に対応する部分に、上部便座ケース３１０と下部便座ケース３２０とを結合する螺子３４０を貫通させる螺子孔部３２６が形成されている。
【００４５】
図７に示すように、螺子孔部３２６は下部本体部３２１より上方に凹陥し、螺子３４０の頭部を収容する凹陥部３２７が形成されており、凹陥部３２７の天面部には螺子孔３２８が形成されている。
【００４６】
図９に示すように、上部便座ケース３１０と下部便座ケース３２０の内周縁と外周縁を結合させた状態で、タッピングタイプの螺子３４０を螺子孔３２８に貫通させて上部便座ケース３１０の螺子受穴３１９にもみ込むことにより、上部便座ケース３１０の螺子受部３１６の弱破損部３１８と下部便座ケース３２０の螺子孔部３２６の凹陥部３２７が当接した状態で、上部便座ケース３１０と下部便座ケース３２０が確実に固定することができる構成となっている。
【００４７】
螺子３４０で固定することにより、上部便座ケース３１０と下部便座ケース３２０は引き寄せられ、相互の内周縁（３１３、３２３）と外周縁（３１４、３２４）が密着さることにより確実な水密構造を得ることができる。
【００４８】
便座ヒータ３３０は、前部の一部が切り取られた略馬蹄形状のアルミニウム箔で形成された均熱板３３１の表面に、軟質の塩化ビニール製の絶縁被覆で覆われたコードヒータ３３２が間隔を設けて蛇行して配設されており、コードヒータ３３２で発熱した熱が均熱板３３１に伝導して均熱板３３１の全面に拡散する構成となっている。便座ヒータ３３０は
着座部３１１の略全面を加熱できるようにコードヒータ３３２が配設あり、特に着座した使用者の大腿部と臀部が快適に加熱されるように場所によって密度を変えて配設してある。
【００４９】
また、均熱板３３１の表面には図示しない温度検知手段であるサーミスタと過昇防止手段であるサーモスタット設置されており、コードヒータ３３２とサーミスタおよびサーモスタットはリード線で接続されている。本実施の形態における便座ヒータ３３０の電気容量は約５０Ｗである。
【００５０】
＜３＞便座の動作および作用
上記構成の便座３００を備えた本実施の形態における便座装置１００は、便座装置１００が通電状態である場合は、便座３００は設定温度に保温された状態を維持する。設定温度は操作スイッチ２１２により使用者の好みにより変更が可能であり、３５℃から４０℃の範囲で調整することができる。設定された設定温度に対応して便座ヒータ３３０の均熱板３３１の表面に設置したサーミスタ（図示せず）の検知データにより便座ヒータ３３０への通電が制御される。
【００５１】
コードヒータ３３２で発熱した熱は均熱板３３１に伝達され、均熱板３３１の全面に熱伝導により拡散し、均熱板３３１の全面より上部便座ケース３１０に熱伝達され着座部３１１を設定温度に保温する。
【００５２】
便座３００の使用中に、例えば、体重の重い使用者が衝撃的に着座した場合等において、便座３００の着座部３１１に過大な荷重が加えられた場合、特に、螺子受部３１６と螺子孔部３２６に集中的に荷重が加えられることとなり、上部便座ケース３１０の螺子受部３１６に設けられた弱破損部３１８が破損して欠落する。
【００５３】
これにより、螺子受部３１６と螺子孔部３２６の全体が破損することを回避することができるとともに、特に、螺子受部３１６が配置された着座部３１１と螺子孔部３２６が配置された下部本体部３２１に変形および白化等の変色が発生することを防止できる。また、加えられた荷重は内周縁（３１３、３２３）と外周縁（３１４、３２４）に分散して受けさせることにより便座３００全体が破損することが防止できる。
【００５４】
弱破損部３１８が破損した状態においては、便座３００に上方から加えられる荷重は内周縁（３１３、３２３）と外周縁（３１４、３２４）に分散して受けることが可能であり、また、弱破損部３１８が欠落した状態においても螺子３４０は残存しており、上部便座ケース３１０と下部便座ケース３２０を相互に引き付ける機能は継続するため、内周縁（３１３、３２３）と外周縁（３１４、３２４）との密着状態を維持することができ、便座３００を安全に使用することができる。
【００５５】
また、上記のように弱破損部が破損した状態においても、便座３００の内部に設置された便座ヒータ３３０およびサーミスタ（図示せず）等の全ての機能部材も損傷を受けることがなく、便座の全てに機能を長期間に亘り安全に使用することができる。
【００５６】
なお、弱破損部３１８が欠落することによる便座３００の強度および安全性に一切問題は生じないが、当初から弱破損部３１８がない構成とした場合、螺子受部３１６と螺子孔部３２６との間に間隔を設けて螺子３４０を締め付けることとなり、螺子受部３１６と螺子孔部３２６との間隔が螺子の３４０の締め付け状態によりバラツキが生じることとなり、便座３００全体の強度および形状が不安定となり、本実施の形態における便座と同様な性能を得ることはできない。
【００５７】
上記のように本実施の形態における便座装置は、螺子受部に弱破損部を設けたことにより、便座の着座部に衝撃的な過大加重が付加されて場合、弱破損部が破損することにより、加重は上部便座ケースと下部便座ケースの外周縁と内周縁の広い範囲に分散され、螺子受部および螺子孔部に荷重が集中的に付加されることが回避されるため、螺子受部および螺子孔部の設置部分に変形および白化等の変色が発生することを抑制することができ、安全性と耐久性を向上することができる。
【００５８】
また、弱破損部が破損した状態においても、便座内部に設置した便座ヒータ等の加熱機能が損傷を受けることがなく、暖房機能を備えた便座装置の長寿命化を図る事ができる。
【００５９】
また、本実施の形態における便座装置においては、２個の板状の突起片である弱破損部を螺子受穴の中心に対して放射状に等角となるように配置することにより、弱破損部は容易に破損できる構成とすることができるとともに、突起片の板厚を変更することにより容易に強度の調整が可能となり、生産性を向上することができる。また、弱破損部を放射状に等角に配置したことにより、螺子の締め付けを安定して実施することができる。
【００６０】
なお、本実施の形態においては、弱破損部は上部便座ケースの螺子受部に設けたが、これに限るものではなく、下部便座ケースの螺子孔部に設けても同様な作用および効果を得ることができる。
【００６１】
また、本実施の形態においては、弱破損部は２個の板状の突起片で構成したがこれに限るものではなく、１個または３個以上の突起片で構成してもよい。また、板状以外の形状で構成してもよい。
【産業上の利用可能性】
【００６２】
以上のように、本発明にかかる便座は、螺子止め部分の破損および変形を抑制することが可能となるので、樹脂材料を使用した成型品を使用した他の家電器具等の用途にも適用できる。
【符号の説明】
【００６３】
１００  便座装置
３００  便座
３１０  上部便座ケース
３１１  着座部（着座面）
３１３  上部内周縁（内周縁）
３１４  上部外周縁（外周縁）
３１６  螺子受部
３１８  弱破損部
３２０  下部便座ケース
３２３  下部内周縁（内周縁）
３２４  下部外周縁（外周縁）
３２６  螺子孔部
３３０  便座ヒータ
３４０  螺子
【図１】
2015156995.tif 000003
【図２】
2015156995.tif 000004
【図３】
2015156995.tif 000005
【図４】
2015156995.tif 000006
【図５】
2015156995.tif 000007
【図６】
2015156995.tif 000008
【図７】
2015156995.tif 000009
【図８】
2015156995.tif 000010
【図９】
2015156995.tif 000011
【図１０】
2015156995.tif 000012
【図１１】
2015156995.tif 000013